(57)【要約】本発明は一般的には、その視覚を調整する個人の能力を訓練および向上するのに用いることができる眼位訓練装置に関する。装置のベース部材は使用者により保持され、接続部材はベース部材から伸びることができ、接続部材の他端部は例えば壁に固定することができる。各端部間、接続部材上にスライド可能に配置されたスライドマーカーはさまざまな視覚的特徴を有することができる。例えば、各マーカーは異なる色であってもよい。マーカーは接続部材上の異なる位置に移動させることができ、被験者はその焦点をさまざまなマーカー間で移動させることができる。接続部材は、例えばベース部材における溝のまわりに巻きつけられ、ベース部材における隙間内に保持され、またはベース部材内に含有されるキャビティ内に保持されることにより、ベース部材内のキャビティに収納することができる。
2014511738.tif 000002
【特許請求の範囲】
【請求項１】
被験者の眼位を訓練するのに用いられる眼位訓練装置であって、該眼位訓練装置は、
ベース部材；第１端部および第２端部を有する接続部材であって、該第１端部が該ベース部材に固定され、該第２端部が該ベース部材からの第１距離に配置された物体に着脱可能に固定されるように構成された、接続部材；該接続部材に沿った位置に移動することができる該接続部材に固定された複数のスライドマーカー；ならびに該第２端部が物体に固定されていない該接続部材の少なくとも一部を含有するように構成されたベース部材内のキャビティを備え、
該接続部材および複数のスライドマーカーは、該装置が訓練に用いられない場合、該ベース部材の本体中に引き込むことができる、眼位訓練装置。
【請求項２】
前記ベース部材からの第１位置に配置された前記物体に固定可能な留め具であって、前記接続部材の前記第２端部に固定され、前記接続部材の前記第２端部を該留め具が固定された前記物体に着脱可能に接続する、留め具をさらに備える、請求項１に記載の眼位訓練装置。
【請求項３】
前記接続部材の前記第２端部に結合した端部部材であって、前記留め具と着脱可能に接続し、前記接続部材の前記第２端部と着脱可能に接続する、端部部材をさらに備える、請求項２に記載の眼位訓練装置。
【請求項４】
前記留め具がホックを備えることを特徴とする、請求項３に記載の眼位訓練装置。
【請求項５】
前記留め具が前記端部部材を受容する凹所を有するプレートを備えることを特徴とする、請求項３に記載の眼位訓練装置。
【請求項６】
前記プレートおよび前記端部部材が一対の磁石をさらに備えることを特徴とする、請求項５に記載の眼位訓練装置。
【請求項７】
前記キャビティが前記ベース部材の周囲上に設けられた溝を備えることを特徴とする、請求項３に記載の眼位訓練装置。
【請求項８】
前記キャビティが前記ベース部材内に隙間を備えることを特徴とする、請求項３に記載の眼位訓練装置。
【請求項９】
前記キャビティが前記ベース部材の周囲上に設けられた溝および前記ベース部材内の隙間を備えることを特徴とする、請求項３に記載の眼位訓練装置。
【請求項１０】
前記隙間が前記スライド可能なマーカーおよび前記スライド可能なマーカーにより占められた前記接続部材の部分を含有するように構成され、前記第２端部が物体に固定されない場合、前記溝が前記接続部材の少なくとも一部分を含有するように構成されることを特徴とする、請求項９に記載の眼位訓練装置。
【請求項１１】
前記キャビティが前記ベース部材内に含有されるキャビティを備えることを特徴とする、請求項３に記載の眼位訓練装置。
【請求項１２】
接続部材をベース部材内に巻きつける引込機構をさらに備える、請求項１１に記載の眼位訓練装置。
【請求項１３】
前記引込機構が前記接続部材をベース部材内に巻きつけるのに用いられる少なくとも１つの穴を備えることを特徴とする、請求項１２に記載の眼位訓練装置。
【請求項１４】
前記引込機構を作動させるボタンをさらに備える、請求項１２に記載の眼位訓練装置。
【請求項１５】
前記引込機構がばねアセンブリにより動かされることを特徴とする、請求項１４に記載の眼位訓練装置。
【請求項１６】
前記キャビティが出られるように、スライドマーカーを上げることができるドアをさらに備える、請求項１４に記載の眼位訓練装置。
【請求項１７】
前記ドアが下がったときに、前記スライドマーカーを前記キャビティ内に保持することを特徴とする、請求項１６に記載の眼位訓練装置。
【請求項１８】
前記ボタンを押すことにより、前記ドアを上げることができることを特徴とする、請求項１７に記載の眼位訓練装置。
【請求項１９】
前記接続部材が少なくとも１０フィート伸長可能なことを特徴とする、請求項２に記載の眼位訓練装置。
【請求項２０】
被験者の眼位を訓練するのに用いられる眼位訓練装置であって、該眼位訓練装置は、
ベース部材；第１端部および第２端部を有する接続部材であって、該第１端部が該ベース部材に固定され、該第２端部が端部部材に固定された、接続部材；該接続部材に沿った位置に移動することができる該接続部材に固定された複数のスライドマーカー；物体に固定可能な留め具であって、該ベース部材と着脱可能に接続可能な、留め具；ならびに該接続部材および該複数のスライドマーカーを含有するように構成された該ベース部材内のキャビティを備え、
該眼位装置が使用されないとき該接続部材および該スライドマーカーは該キャビティ内に含有することができ、該眼位装置が使用されるとき該ベース部材は該留め具と接続され、該端部部材は該被験者により保持され、該接続部材は該ベース部材と該端部部材との間で伸び、該スライドマーカーは該接続部材に沿った位置にあることを特徴とする、眼位訓練装置。
【発明の詳細な説明】
【技術分野】
【０００１】
本発明は視覚訓練に関する。より具体的には、本発明は視覚訓練装置に関する。
【背景技術】
【０００２】
視覚訓練および検査のうち、眼位は、弱い場合、ボールのような物体を追跡するのに眼位が役立つスポーツのようなさまざまな活動に参加する際、被験者の妨げとなり得る領域である。眼位を向上するため、さまざまな検査をこの特定の視覚技術を鍛える訓練に用いることができる。
【発明の概要】
【０００３】
本発明は一般的には、その視覚を調整する個人の能力を訓練および向上するのに用いることができる眼位訓練装置に関する。この装置を使用する際、装置の一端部は使用者により保持され、他端部は例えば壁に固定される。各端部の間の接続部材はさまざまな視覚的特徴のスライドマーカーを備えることができる。例えば、各マーカーは異なる色であってもよい。マーカーは次に接続部材上の異なる位置に移動させることができ、被験者は自身の焦点をさまざまなマーカー間で移動させる。使用しないとき、接続部材は装置の一端部のまわりに巻きつけることができ、または装置は接続部材を端部部材の一方の本体中に引き込む引込機構を有することができる。
【０００４】
本発明の追加の目的、利点、および新規特性は部分的には以下の説明において記載され、部分的には以下を検討すれば当業者には明らかとなる、または本発明の実施により習得することができる。
【０００５】
本発明について添付の図面を参照しながら以下で詳細に説明する。
【図面の簡単な説明】
【０００６】
【図１】Ａ〜Ｂは本発明による眼位訓練装置の一例を示す。
【図２】Ａ〜Ｄは本発明による眼位訓練装置のさらなる例を示す。
【図３】Ａ〜Ｄは本発明による眼位訓練装置のさらなる例を示す。
【発明を実施するための形態】
【０００７】
法的要件を満たすため、本明細書において本発明の対象事項について具体的に記載する。しかしながら、記載自体は本発明の範囲を限定することを意図しない。むしろ、本発明者らは、特許請求される対象事項は他の方法で実施することもでき、他の現在または未来の技術と併せて、本明細書に記載されるものと異なるステップまたは同様のステップの組み合わせを含むと考えている。
【０００８】
大まかに言うと、眼位は眼位運動を行うことにより向上することができる。例えば、紐、細いロープ、テープまたは他の実質的に直線の接続部材は、被験者の眼の近くから比較的遠い点、例えば少なくとも数フィート離れた壁上の点まで伸ばすことができ、被験者は接続部材に沿った異なる点に順に焦点を合わせることができるが、これは被験者の眼が各点でうまく焦点を合わせるために必要な異なる輻輳角に調整されることを必要とするだろう。この運動は、接続部材に沿って移動させることができ、被験者が焦点として用いることができるビーズのような移動可能なスライダーを設けることにより、促進することができる。
【０００９】
本発明は、容易に展開、使用、収納、および運搬することができる眼位訓練装置を提供する。例えば、被験者の眼位を訓練するのに単純に紐およびビーズを用いることは、多数の問題を提示し得る。ただの紐を展開する場合、紐は多くの場合壁または他の位置に容易に固定することができない。さらに、ただの紐は不快であり得、または被験者の眼に適当に近接して保持することがさらに困難であり得るため、ただの紐およびビーズを用いることで使用時に問題が生じる虞がある。ただの紐およびビーズを用いることは、紐が容易にもつれる、からまる、ひっかかる、等の虞があるため、収納および／または運搬するのにまたさらに問題を提示し得る。
【００１０】
本発明によるシステムは、展開、使用、収納、および運搬するのが簡単な眼位訓練装置を提供する。本発明による眼位訓練システムは、紐、細いロープ、テープ、または他の細長い材料であってもよい接続部材を備える。接続部材は、使用しないときはベース部材のキャビティ内に収納することができる。本発明によると、ベース部材は、接続部材をベースの外部にある溝のまわりに巻きつけることを可能にすることにより、接続部材をベース内に含有されるキャビティ内に収納することを可能にすることにより、または接続部材をベースの外部のまわりに巻きつけることおよび接続部材をベース内に収納することのなんらかの組み合わせにより、接続部材を保持することができる。スライド可能なマーカーは接続部材上に移動可能に配置することができ、同様にベース部材上または内に収納することができる。ベース部材は、被験者により容易に保持されるように、および／または訓練装置の遠端に容易に取り付けられるように構成することができる。その伸長構造において、端部部材はベース部材の反対側の接続部材の端部に配置することができる。端部部材は被験者により容易に保持されるように、および／または訓練装置の遠端に容易に取り付けられるように構成することができる。このように、端部部材またはベースのいずれか一方は比較的遠い位置で固定することができ、他方は被験者がその眼の近くでしっかり握り、接続部材をベースと端部部材との間で伸ばすことができる。スライド可能なマーカーは、接続部材の長さに沿った１つ以上の所望の位置に配置することができ、被験者は次に、配置されたスライド可能なマーカーの１つ以上を焦点として用いて眼位焦点調整運動を行うことができる。
【００１１】
一般的には、接続部材の一端部は個人の鼻の近くに配置され、接続部材の他端部は被験者から少なくとも数フィート、理想的には１０フィート以上の距離の壁または他の安定した物体まで伸びるだろう。このように、スライド可能なマーカーは、非常に大きな輻輳角を必要とするだろう被験者の眼の非常に近くから、被験者の眼が理想的には平行となるべき点である被験者からの「無限遠」またはその近くまで、異なる距離で焦点を提供することができる。使用時、被験者がそのマーカーにうまく焦点を合わせた場合接続部材が現在の焦点としての役割を果たすマーカーで「交差」して見えるので、被験者は彼／彼女が無限遠にはない所定のマーカーに適当に焦点を合わせたことを認識することができる。
【００１２】
ベースおよび端部部材にはさまざまな構造を用い、それらが被験者により容易に保持される、および／または比較的離れた位置で固定されることを可能にすることができる。また、さまざまな構造のベースを用い、接続部材およびスライド可能なマーカーがベースの周囲および／または中に保持されることを可能にすることができる。ベースおよび端部部材のいくつかの例となる構造、ならびに本発明による眼位訓練装置の他の例となる態様について以下でより詳細に説明する。
【００１３】
ここで図１Ａ〜１Ｂを参照すると、スライドマーカーを有する眼位訓練装置１００が提供されている。訓練装置１００は、ベース部材１０５、接続部材１１０、およびスライドマーカー１１５を備える。図１Ａは、それにより接続部材１１０がベース部材１０５のキャビティ内に含有される、収納モードの訓練装置１００を示す。すなわち、接続部材１１０はベース部材１０５の周囲上に設けられた溝においてベース部材１０５のまわりに巻きつけられて示され、スライドマーカー１１５ならびにマーカー１１５および端部部材１３５により占められた接続部材１１０の部分は、ベース部材１０５内に隙間１２０を備えるキャビティに収納される。本発明に従っていずれかの数のスライドマーカー１１５を用いることができる。図１Ａに示される例は、５つのこうしたスライドマーカー１１５を示す。スライドマーカー１１５は、装置の用途に応じて、いずれかの所望のサイズまたは形状であってもよいが、各スライドマーカー１１５は被験者が各スライドマーカーを識別することを可能にする視覚的特徴（例えば、色またはパターン）を有していてもよい。さらに、各マーカーは、図１Ｂに示されるように、接続部材１００をスライドまたは移動することができる。
【００１４】
ベース部材１０５の反対側の接続部材の端部には、端部部材１３０が設けられる。こうした端部部材１３０は接続部材１１０上に固定することができ、スライドマーカー１１５に対するストッパーを備えることができる。また、図１Ｂに示されるように、端部部材１３０は接続部材に固定することができ、接続部材１１０の端部を壁１４０もしくは他の実質的に硬質な物体（図示せず）に接続または安定化するのに用いることができる。図１Ｂに示されるように、端部部材１３０はその遠端に壁プレート１４５のような留め具における対応する凹所（図示せず）と着脱自在に接続する突起１３５を有し、接続部材１１０を壁１４０に取り付けられた壁プレート１４５と着脱可能に接続するのに用いられる。端部部材１３０および壁プレート１４５は一対の引き合う磁石（図示せず）を用い、端部部材１３０を壁プレート１４５に着脱可能に固定するのを促進することができる。複数の壁プレート１４５を用い、接続部材１１０を被験者に対してさまざまな角度および傾斜で伸ばすことを可能にすることができる。端部部材１３０は視覚マーカー自体として用いることができる、あるいはベース１０５とは反対側の接続部材１１０の端部に接続するためにのみ用いることができる。
【００１５】
ここで図２Ａ〜２Ｄを参照すると、本発明による別の実施形態が例示されている。この例では、装置２００はベース部材２０５、接続部材２１０、スライドマーカー２１５、および端部部材２３０を備える。前の例と同様に、この実施形態にはいずれかの数のスライドマーカーを用いることができる。図２Ａに示されるように、接続部材２１０は伸ばされている。この実施形態では、接続部材２１０は、図２Ｂおよび２Ｃに示されるように、ベース部材２０５内に含有されるキャビティに引き込むことができる。ベース部材２０５内の引込機構は装置２００が収納のため全体的にコンパクトな形状をとることを可能にする。引込機構は、接続部材２１０をベース部材２０５内に巻きつけるのに用いることができる、開口２２０および２２５のような開口を備えることができる。ベース部材２０５は、接続部材２１０および端部部材２３０の反対側のベース部材２０５の端部に開口２３５を備えることもできる。開口２３５は、図２Ｄに例示されるように、装置を固定するのに用いることができる。
【００１６】
この例では、装置２００は、壁２４０に固定された留め具上をスライドすることができる開口２３５を用い、開口２３５および留め具を着脱可能に接続し、壁２４０に取り付ける。被験者は次に、端部部材２３０をしっかりと持つことにより、接続部材２１０を伸ばすことができる。
【００１７】
ここで図３Ａ〜３Ｄを参照すると、本発明による眼位訓練装置３００の別の実施形態が提供されている。この実施形態では、訓練装置３００はベース部材３０５、接続部材３１０、スライドマーカー３１５、および端部部材３４０を備える。この実施形態は、接続部材３１０をベース部材３０５内に含有されるキャビティ中に開口３３５を通して引き込むことができる。ベース部材３０５内の引込機構はばねアセンブリまたはその他の機構により動かすことができ、３２５で示されるボタンを押すことより開始することができる。さらに、この実施形態では、ボタン３２５はドア３３０を用いて各スライドマーカー３１５を個別に放出することができる。ボタン３２５を押す毎にドア３３０を上げることができ、それにより１つ以上のスライドマーカー３１５が開口３３５でベース部材３０５内のキャビティを出ることを可能にする。一方、ドア３３０を下げると、スライド可能なマーカー３１５はベース部材３０５のキャビティ内に保持される。図３Ｂはスライドマーカーが放出される前のこうした例を示す。図３Ａは開口３３５から放出されたばかりの接続部材３１０上のスライドマーカー３１５を示す。
【００１８】
本明細書において例示および説明される実施形態のいずれかでは接続部材を接続または固定するいずれの方法を用いることもできるが、図３Ｃは開口３４５を有する端部部材３４０を示す。３５０として示されるホックのような留め具を用い、ホック３５０を端部部材３４０、よって接続部材３１０および訓練装置３００と着脱可能に接続することにより、端部部材３４０を固定することができる。ホック３５０は壁または訓練が行われ得るその他の場所に固定することができる。この実施形態を使用する際、被験者は図３Ｃに示されるように端部部材３４０を固定することができ、その後スライドマーカー３１５を有する接続部材３１０を伸ばし、装置３００を接続部材３１０およびスライドマーカー３１５がその視線内にあるように鼻の下に保持することができる。
【００１９】
前述から、本発明が以上で記載されたすべての目的を、明らかであり、その構造に固有の他の利点とともに達成するのに十分に適したものであることがわかるだろう。
【００２０】
特定の特性および部分的組み合わせが有用であり、他の特性および部分的組み合わせへの参照なしに用いることができることが理解されるだろう。これは特許請求の範囲により意図され、その範囲内である。
【００２１】
多くの考えられる実施形態はその範囲から逸脱することなく本発明から成り得るため、本明細書に記載または添付の図面に図示されるすべての事項は例示的であり、限定的ではないと解釈すべきものであることを理解すべきである。
【図１Ａ】
2014511738.tif 000003
【図１Ｂ】
2014511738.tif 000004
【図２Ａ】
2014511738.tif 000005
【図２Ｂ】
2014511738.tif 000006
【図２Ｃ】
2014511738.tif 000007
【図２Ｄ】
2014511738.tif 000008
【図３Ａ】
2014511738.tif 000009
【図３Ｂ】
2014511738.tif 000010
【図３Ｃ】
2014511738.tif 000011
【図３Ｄ】
2014511738.tif 000012
【国際調査報告】
2014511738.tif 000013